(57)【要約】【課題】成長物の成長の阻害を確実に回避でき、長期間にわたって成長物に安定して保持し続けることが容易な成長物用バンドを提供する。【解決手段】本発明の成長物用バンド１は、第１摩擦面１１ｆを有する第１保持部１１と、第１摩擦面１１ｆと間隔をあけて対向配置される第２摩擦面１２ｆを有する第２保持部１２とを備えるバックル部１０と、第１保持部１１に固定される一端から他端に向けて延び、第１摩擦面１１ｆと同じ側に臨む表側面２１と、表側面２１の裏側に臨む裏側面２２とを備える第１ベルト部２０と、を備え、裏側面２２が内周側になるように湾曲させながら、一端から第１摩擦面１１ｆと第２摩擦面１２ｆの間にベルト部２０を挿通させることでリング状態をなし、第１摩擦面１１ｆと裏側面２２の間の摩擦力、及び第２摩擦面１２ｆと表側面２１の間の摩擦力により、第１ベルト部２０が摺動自在にバックル部１０により保持されることを特徴とする。【選択図】図１
2011147352.tif 000002
【特許請求の範囲】
【請求項１】
第１摩擦面を有する第１保持部と、前記第１摩擦面と間隔をあけて対向配置される第２摩擦面を有する第２保持部とを備えるバックル部と、
前記第１保持部に固定される一端から他端に向けて延び、前記第１摩擦面と同じ側に臨む表側面と、前記表側面の裏側に臨む裏側面とを備えるベルト部と、を備え、
前記裏側面が内周側になるように湾曲させながら、前記一端から前記第１摩擦面と前記第２摩擦面の間に前記ベルト部を挿通させることでリング状態をなし、
前記第１摩擦面と前記裏側面の間の摩擦力、及び前記第２摩擦面と前記表側面の間の摩擦力により、前記ベルト部が摺動自在に前記バックル部により保持されることを特徴とする動植物の成長に伴い伸長する成長物用バンド。
【請求項２】
前記成長物用バンドは、単一の帯体からなり、
前記バックル部が、前記帯体を折り畳んで形成される請求項１に記載の成長物用バンド。
【請求項３】
前記バックルが、
前記ベルト部に対応する部分に対して、単一の前記帯体の前記ベルト部に対応する部分の残余部分を直交する方向に折り畳んだ後に、折り畳み部を包むように前記残余部分を巻き回して第１通路及び第２通路を順次形成し、次いで、
前記残余部分を前記ベルト部に相当する部分と平行になるように折り畳み、次いで、
前記第１通路又は前記第２通路に前記残余部分を挿通することで構成される請求項２に記載の成長物用バンド。
【発明の詳細な説明】
【技術分野】
【０００１】
本発明は、動植物に巻き付けて使用する、動植物等の成長物の成長に伴い伸長する成長物用バンドに関する。
【背景技術】
【０００２】
一般に、森林の野生鳥獣による被害は、主に、熊、鹿等によってもたらされることが知られている。近年では、スギ、ヒノキ等の針葉樹人工林において、熊による樹皮剥ぎによってもたらされる林業被害が頻繁に発生し、大きな社会問題となっている。このため、樹木の幹にテープ、ロープ、枝条、ネット等（以下、被害防止材）を巻き付けるなど、樹木を熊から保護する様々な対策が試みられている。
【０００３】
被害防止材は、熊による被害防止効果を発揮するために、樹木に巻き付けた状態で保持されるよう確実に装着する必要がある。しかし、樹木へ巻き付けられた被害防止材の径が固定されると、樹木の成長につれて被害防止材が幹にくい込み、樹木を損傷してしまうという問題が生じていた。従って、ほつれにくく、樹木の成長に伴って径が伸長し、樹木の成長を妨げない被害防止材が求められている。
【０００４】
特許文献１は、被害防止材として成長物、例えば樹木に巻き付けて使用され、樹木の成長に伴い径が伸長する成長物用カバーを開示している。この成長物用カバーは、第一バンド部を樹木等の成長物に巻き付け、第一バンド部の長手方向一端側に設けられた挿通孔に第一バンド部の長手方向他端側に設けられた第二バンド部を挿通し、第二バンドの幅方向の縁部に設けられた弾性突出部が弾性変形・復帰することで、容易な抜けが阻止されつつ成長物に巻き付けられた状態で保持されるものである。また、この成長物用カバーは弾性素材を用いた網部材により一体形成されており、製造や成長物への装着が容易な構成となっている。
【先行技術文献】
【特許文献】
【０００５】
【特許文献１】特開２００４−２９８００４号公報
【発明の概要】
【発明が解決しようとする課題】
【０００６】
特許文献１の成長物用カバーの第一バンド部と第二バンド部は網部材から一体的に形成されているが、第二バンド部の縁部に設けられた弾性突出部が第一バンド部の挿通孔の縁部に係止される。つまり、特許文献１は第一バンド部と第二バンド部が縁部同士で接触する構造を採用しており、この縁部にせん断力が加わると第一バンド部及び第二バンド部が縁部から裂けるおそれがある。そうすると、第二バンド部が第一バンド部の挿通孔から抜け出てしまい、成長物への保持状態が解除される。特に、特許文献１の成長物用カバーは第一バンド部及び第二バンド部が網部材からなるためにせん断力が加わると裂けやすく、長期間にわたって成長物に安定して保持し続けることが難しい。
したがって本発明は、長期間にわたって成長物に安定して保持し続けることが容易な成長物用バンドを提供することを目的とする。
【課題を解決するための手段】
【０００７】
かかる目的のもと、本発明の動植物の成長に伴い伸長する成長物用バンドは、バックル部とベルト部からなる。バックル部は、第１摩擦面を有する第１保持部と、第１摩擦面と間隔をあけて対向配置される第２摩擦面を有する第２保持部とを備える。また、ベルト部は、第１保持部に固定される一端から他端に向けて延び、第１摩擦面と同じ側に臨む表側面と、この表側面の裏側に臨む裏側面とを備える。
本発明の成長物用バンドは、ベルト部を裏側面が内周側になるように湾曲させながら、一端側から第１摩擦面と第２摩擦面の間に挿通させることでリング状態をなす。この状態で、第１摩擦面と裏側面の間の摩擦力、及び第２摩擦面と表側面の間の摩擦力により、ベルト部が摺動自在にバックル部により保持される。
【０００８】
以上の構成を有する本発明の成長物用バンドは、バックル部とベルト部が所定の面積を有する面同士の摩擦力により摺動自在に保持される構成を採用している。したがって、バックル部及びベルト部の一方又は双方の一部が損傷したとしても、バックル部がベルト部を保持し続けることができる。
また、本発明の成長物用バンドは、リング状にした状態で樹木等の成長物に巻き付けると、ベルト部はバックル部との間の摩擦抵抗によって抜け止めされるとともに、摺動可能に保持されているために成長物の成長に伴いその径が伸張するので、成長物の成長を阻害することがない。なお本発明における成長物とは、動物、樹木を含む植物をいう。
【０００９】
本発明による成長物用バンドは、例えば、バックル部とベルト部を個別の部品として製造してから両者を適宜の方法により接合して製造できる。しかし、単一の帯体を折り畳んでバックル部を形成し、バックル部とベルト部を一体的に作製することで、部品点数の削減によるコストダウンを図ることができる。帯体としては、梱包に用いられるＰＰ（ポリプロピレン）バンドが好適である。梱包に用いられるＰＰバンドは、極めて低価格であること、表面に微小な突起が形成されており適度な摩擦力を生じさせること、折り畳んだときに復元力が生じることで適度な摩擦力を生じさせること、という利点を有している。尚、ＰＰバンドとしては、例えば積水樹脂株式会社の１５．５ＢＸ、１２Ｈ−ＥＣ、１５．５Ｈ−ＥＣ、１５ＹＵ、１２ＹＵ等を本発明に好適に用いることができるが、これらの製品に限られるわけではない。
【００１０】
単一の帯体を折り畳んでバックル部を形成する場合、ベルト部に対応する部分に対して単一の帯体のベルト部に対応する部分の残余部分を直交する方向に折り畳んだ後に、折り畳み部を包むように残余部分を巻き回して第１通路及び第２通路を順次形成し、次いで、残余部分をベルト部に相当する部分と平行になるように折り畳み、次いで、第１通路又は第２通路に残余部分を挿入することで構成することができる。
【発明の効果】
【００１１】
本発明によれば、成長物の成長の阻害を確実に回避するとともに、長期間にわたって成長物に安定して保持し続けることが容易な成長物用バンドを提供できる。
また、本発明の成長物用バンドを単一の帯体から作製すれば、安価な成長物用バンドを提供することができる。
【図面の簡単な説明】
【００１２】
【図１】本発明の第１の実施形態における成長物用バンドを示し、（ａ）は平面図、（ｂ）は成長物バンドを樹木（成長物）に装着した図、（ｃ）は全体構成の斜視図である。
【図２】（ａ）は図１（ａ）の２ａ−２ａ矢視断面図であり、（ｂ）はバックル部の拡大断面図である。
【図３】第１の実施形態における成長物用バンドの作業手順の一部を示す図であり、（ａ）はバックル部に第１ベルト部を挿通する直前を示し、（ｂ）はバックル部を第１ベルト部が貫通した状態を示す。
【図４】本発明の第２の実施形態における成長物用バンドのバックル部の第１の折り畳み手順を示した図である。
【図５】図４に示すバックル部の折り畳み手順の（ａ）〜（ｄ）に対応するバックル部分の断面の層構成を示す図である。
【図６】図４に示すバックル部の折り畳み手順の（ｅ）〜（ｇ）に対応するバックル部分の断面の層構成を示す図である。
【図７】バックル部に第１ベルト部を挿入した状態を示す断面図である。
【図８】本発明の第２の実施形態における成長物用バンドのバックル部の第２の折り畳み手順を示した図である。
【図９】図８に示すバックル部の折り畳み手順の（ｅ）〜（ｇ）に対応するバックル部分の断面の層構成を示す図である。
【図１０】本発明の第２の実施形態における成長物用バンドのバックル部の第３の折り畳み手順を示した図である。
【図１１】図１０に示すバックル部の折り畳み手順の（ｄ）〜（ｇ）に対応するバックル部分の断面の層構成を示す図である。
【図１２】本発明の第２の実施形態における成長物用バンドのバックル部の第４の折り畳み手順を示した図である。
【図１３】図１２に示すバックル部の折り畳み手順の（ｅ）〜（ｇ）に対応するバックル部分の断面の層構成を示す図である。
【図１４】本発明の第２の実施形態における成長物用バンドのバックル部の第１〜第４の折り畳み手順の（ａ）〜（ｂ）について、別の折り畳み方法を示した図である。
【図１５】本発明の第２の実施形態における成長物用バンドのバックル部の第１〜第４の折り畳み手順の（ａ）〜（ｄ）について、別の折り畳み方法を示した図である。
【図１６】本発明の第３の実施形態における成長物用バンドの全体構成の斜視図である。
【図１７】本発明の第３の実施形態における成長物用バンドのバックル部１５０Ｒの折り畳み手順を示した図である。
【図１８】本発明の第３の実施形態における成長物用バンドのバックル部１５０Ｌの折り畳み手順を示した図である。
【発明を実施するための形態】
【００１３】
以下、添付図面に示す実施の形態に基づいてこの発明を詳細に説明する。
［第１の実施形態］
図１〜図３に基づいて第１の実施形態における成長物用バンド１を説明する。
成長物用バンド１は、バックル部１０と、第１ベルト部（ベルト部）２０と、第２ベルト部３０とから構成される。扁平状の第１ベルト部２０は、バックル部１０の一方の面（下面）に一端が固定され、他端に向けて延設される。扁平状の第２ベルト部３０は、バックル部１０の他方の面（上面）に一端が固定され、他端に向けて延設される。
図１（ｂ）に示すように、成長物用バンド１は、第１ベルト部２０を樹木等の成長物Ｔに巻き付けて成長物Ｔに装着される。
【００１４】
＜バックル部の構成＞
直方体状の外観を有するバックル部１０は、厚さ方向に所定間隔をあけて対向配置される第１保持部１１と第２保持部１２とを有している。第１保持部１１と第２保持部１２は、幅方向の両端部が側壁１３により接続され、第１保持部１１と第２保持部１２の間のクリアランスが貫通孔１０ｃを構成する。貫通孔１０ｃには、後述するように、第１ベルト部２０が、その他端側から挿通される。
第１保持部１１の貫通孔１０ｃに臨む面が第１摩擦面１１ｆをなし、第２保持部１２の貫通孔１０ｃに臨む面が第２摩擦面１２ｆをなしており、第１摩擦面１１ｆと第２摩擦面１２ｆは間隔をあけて対向配置されている。なお、バックル部１０の第１保持部１１及び第２保持部１２において、貫通孔１０ｃに臨む側の面を内面、その反対側の面を外面ということがある。
以上の構成を有するバックル部１０は、例えば射出成形により形成されるプラスチック製部品あるいはゴム製部品を用いることができる。
【００１５】
＜ベルト部の構成＞
第１ベルト部２０は第１保持部１１の外面に固定されており、また、第２ベルト部３０は第２保持部１２の外面に固定されている。第１ベルト部２０と第２ベルト部３０は、バックル部１０を基準にして、各々の長手方向の逆側に延設されている。
第１ベルト部２０は、第１保持部１１の第１摩擦面１１ｆと同じ側に臨む表側面２１と、表側面２１の裏側に臨む裏側面２２を備える。同様に、第２ベルト部３０は、第２保持部１２の第１摩擦面１２ｆと同じ側に臨む表側面３１と、表側面３１の裏側に臨む裏側面３２を備える。
【００１６】
第１ベルト部２０は、成長物用バンド１を成長物Ｔに巻き付ける機能を果たす。したがって、第１ベルト部２０の長さは、巻き付ける対象である成長物Ｔの大きさにより適宜選択される。
第２ベルト部３０は、人工物を忌避する熊等の動物に成長物用バンド１の存在を視覚的に認識させる機能を果たす。したがって、第２ベルト部３０の長さは、第１ベルト部２０よりも短くてもよいが、短すぎると成長物Ｔに装着した際に目立たなくなり、動物から成長物Ｔを効果的に保護することが難しくなるため、１００〜３００ｍｍ程度とすることが好ましい。なお、第２ベルト部３０は、成長物用バンド１を成長物Ｔに巻き付けるという本発明の本質的な機能に対して必須の構成でないことを念のため言及しておく。
【００１７】
第１ベルト部２０と第２ベルト部３０は、樹脂性の帯体から構成すればよい。特に、裏表面に微小な突起を有する市販のＰＰバンドは、安価であるとともに、機械的な強度、剛性に加えて耐候性をも備えており、第１ベルト部２０と第２ベルト部３０として好ましい。
第１ベルト部２０と第２ベルト部３０を樹脂性の帯体から構成する場合、バックル部１０の第１保持部１１の外面に第１ベルト部２０の一端側を融着、接着等の手法で固定し、バックル部１０の第２保持部１２の外面に第２ベルト部３０の一端側を融着、接着等の手法で固定することで、バックル部１０と、第１ベルト部２０と、第２ベルト部３０とが一体的に形成された成長物用バンド１を作製できる。
【００１８】
＜貫通孔１０ｃと第１ベルト部の関係＞
バックル部１０の貫通孔１０ｃは、第１ベルト部２０を挿通できるようにバックル部１０の厚さ方向の寸法が定められる。また、第１ベルト部２０が貫通孔１０ｃに挿通された状態で、第１摩擦面１１ｆと第１ベルト部２０の裏側面２２の間の摩擦力、及び第２摩擦面１２ｆと表側面２１の間の摩擦力により、第１ベルト部２０が摺動自在にバックル部１０により保持されるように、バックル部１０の厚さ方向の寸法が定められる。
【００１９】
＜成長物への巻き付け＞
成長物用バンド１は、第１ベルト部２０を樹木等の成長物Ｔに巻き付けて使用する。このとき、成長物Ｔを囲うように第１ベルト部２０を配置してから、図３（ａ）、（ｂ）に示すように、裏側面２２が内周側になるように第１ベルト部２０を湾曲させながら、一端２０ｅからバックル部１０の第１摩擦面１１ｆと第２摩擦面１２ｆの間に第１ベルト部２０を挿通させることでリング状態を形成する。一端２０ｅがバックル部１０を貫通するまで第１ベルト部２０を差し込み、さらにリング状となっている第１ベルト部２０が成長物Ｔにフィットするまで、第１ベルト部２０の一端２０ｅを第１ベルト部２０と対向する向きに引っ張ることで、成長物Ｔへの成長物用バンド１の装着が完了する（図１（ｂ）、（ｃ））。この過程で、図３（ａ）に示すように、第１ベルト部２０の一端２０ｅを第２ベルト部３０の表面側３１に突き当てれば、表側面３１が第１ベルト部２０の一端２０ｅが貫通孔１０ｃに挿入するときのガイドとして機能させることができる。
【００２０】
成長物Ｔへの成長物用バンド１の装着が完了すると、バックル部１０により第１ベルト部２０が摺動可能に保持されている。したがって、成長物用バンド１は成長物Ｔに装着された状態を維持して第１ベルト部２０がバックル部１０から抜けるのを阻止するとともに、成長物Ｔの成長に応じてそのリング状態の径が拡げられる。
また、成長物用バンド１は所定の面積を有する面と面の摩擦力により第１ベルト部２０がバックル部１０に保持される構造を採用しているので、第１ベルト部２０の縁部に亀裂が生じたとしても、保持状態が解かれるおそれがほとんどない。
さらに、バックル部１０を貫通した第１ベルト部２０の部分に加えて、所定の長さを有する第２ベルト部３０が成長物Ｔからリボンのように横方向に突出するため、成長物Ｔへの熊等の接近を阻止することができ、成長物Ｔを熊等から有効に保護することができる。
さらにまた、第１ベルト部２０、第２ベルト部３０は、安価に市販されているＰＰバンド等をそれぞれの所望の長さに適宜カットして作製することができるため、安価かつ容易に成長物用バンド１を提供することができる。
【００２１】
［第２の実施形態］
＜第１の折り畳み手順＞
第１の実施形態の成長物用バンド１の構成には、バックル部１０と、第１ベルト部２０と、第２ベルト部３０という複数の部品が必要である。
しかし、本発明の第２の実施形態の成長物用バンド５００は、単一の帯体を折り畳むことでバックル部１００を構成する。バックル部１００を境として、帯体の一方が第１ベルト部２００をなし、他方が第２ベルト部３００をなす。したがって、バックル部１００、第１ベルト部２００、第２ベルト部３００をそれぞれ別体の部品として用意する必要がなく、第１の実施形態よりもさらに容易かつ安価に成長物用バンド５００を提供することができる。尚、帯体（第１ベルト部２００、第２ベルト部３００）には、第１の実施形態の第１ベルト部２０、第２ベルト部３０と同様に、市販のＰＰバンド等を使用することが好適である。以下、第２の実施形態を図４〜図７を参照して説明する。尚、図５、図６、図９、図１１、図１３に示された層間に跨る円弧状の記号は、層間を第２ベルト部３００ｅが通過できないことを示している。
【００２２】
帯体ｂ（第１ベルト部２００または第２ベルト部３００）を折り畳んでなるバックル部１００は、以下の手順にて形成することができる（以下のアルファベット（ａ）〜（ｇ）は、図４の（ａ）〜（ｇ）に概略対応する）。尚、本明細書中にて、谷折りとは図４紙面の手前側に帯体ｂを折ることを指し、山折りとは谷折りと反対に紙面の奥側に帯体ｂを折ることを意味する。
（ａ）帯体ｂの位置ＰＮを左手で持ち、位置ＰＮよりも図中右側の上縁部Ｅ１が第１ベルト部２００の長手方向に対して直交するように第２ベルト部３００の端部３００ｅを下に向けて谷折りする（図５（ａ）第１〜２層Ｌ１〜２の形成）。折り畳まれた部分（以下、折り畳み部Ｆ１）を左親指と左人差し指で保持する。
（ｂ）端部３００ｅを折り畳み部Ｆ１の裏側の面に向けて山折りする（図５（ｂ）第３層Ｌ３の形成）。
（ｃ）（ａ）〜（ｂ）で形成された三角形の折り畳み部Ｆ１に重なるようにさらに谷折りする（図５（ｃ）第４層Ｌ４の形成）。
（ｄ）端部３００ｅを折り畳み部Ｆ１の裏側に向けて山折りし、四角形の折り畳み部Ｆ２に重なるようにさらに谷折りする（図５（ｄ），（ｅ）第５〜６層Ｌ５〜６の形成）。
（ｅ）端部３００ｅを図中左側に倒しながら、折り目が折り畳み部Ｆ２の対角線と略一致するように山折りする（図６（ｆ）第７層Ｌ７の形成）。
（ｆ）端部３００ｅを折り畳み部Ｆ２の図中左側から第２層Ｌ２と第４層Ｌ４の間に挿入し（図６（ｆ）第８層Ｌ８の形成）、折り畳み部Ｆ２の図中右側から出た端部３００ｅを右方向に引っ張る。
（ｇ）端部３００ｅをさらに図中左側に倒し（図６（ｇ）第９層Ｌ９の形成）、（ｆ）で形成された三角形の折り畳み部Ｆ３の図中左側から第２層Ｌ２と第８層Ｌ８の間に挿入し（図６（ｇ）第１０層Ｌ１０の形成）、右方向に引っ張ると、バックル部１００が完成する。
【００２３】
上述の手順により形成されたバックル部１００は図６（ｇ）に示すように、バックル部１００の内部を第１ベルト部２００および第２ベルト部３００の長手方向に貫通して、第２層Ｌ２と第１０層Ｌ１０との間に形成される通路Ｐ１が形成される。通路Ｐ１は第１ベルト部２００の端部２００ｅを容易に挿入できる程度の開口サイズを有する。そこで、本発明では、第１ベルト部２００を成長物Ｔに巻き付けた後、先端部２００ｅを通路Ｐ１に挿入する（図７）。通路Ｐ１を通過した第１ベルト部２００を成長物Ｔの大きさに合わせて引っ張ることで、成長物用バンド５００を成長物Ｔに装着することができる。このとき、第１０層Ｌ１０の下面が通路Ｐ１へのガイドとして機能するため、先端部２００ｅを通路Ｐ１に容易に挿入することができ、装着の作業効率を向上する。
【００２４】
なお、図６（ｇ）に示すように、第３層Ｌ３と第５層Ｌ５との間に通路Ｐ２が、第１層Ｌ１と第３層Ｌ３との間に通路Ｐ３がそれぞれ形成されるが、成長物用バンド５００は第５層Ｌ５を成長物Ｔに対向して装着されるため、先端部２００ｅを通路Ｐ２または通路Ｐ３に挿入すると、バックル部１００を貫通した先端部２００ｅが第２ベルト部３００（第１層Ｌ１）と成長物Ｔの間に位置することになり、先端部２００ｅを引っ張ることができない。しかし、この場合でも第９層Ｌ９を成長物Ｔに対向して装着すれば、先端部２００ｅを通路Ｐ２または通路Ｐ３に挿入し、成長物Ｔの大きさに合わせて先端部２００ｅを引っ張ることが可能であるので、成長物用バンドとして機能する。
【００２５】
通路Ｐ１を通過してバックル部１００を貫通した第１ベルト部２００は、通路Ｐ１の上層にあたる第１０層Ｌ１０および通路Ｐ１の下層にあたる第２層Ｌ２と面接触する。第１ベルト部２００は、この面接触により生じた摩擦力によりバックル部１００内に摺動可能に保持される。第１ベルト部２００と第１０層Ｌ１０および第２層Ｌ２との面接触により生じる摩擦力は、第１ベルト部２００が動植物等の成長物Ｔの成長に応じて第１ベルト部２００がバックル部１００に対して摺動できる程度とする。具体的には、０．５ｋｇ〜数ｋｇ程度の負荷で第１ベルト部２００がバックル部１００に対して摺動できるように設定すればよい。成長物用バンド５００が装着された成長物Ｔが成長しても、その成長に応じて成長物用バンド５００の径が拡がることで、成長物Ｔの成長を阻害することがない。
【００２６】
また、既に述べた通り、バックル部１００、第１ベルト部２００、第２ベルト部３００を構成する材料として、弾性を有するＰＰバンドを使用している。このため、第１ベルト部２００の長手方向に対して直交するように谷折りされた三角形の第２層Ｌ２（折り畳み部Ｆ１）が弾性復帰することで第１０層Ｌ１０を押し上げる。これにより、第２層Ｌ２と第１０層Ｌ１０の間（通路Ｐ１）に挿入された第１ベルト部２００がバックル部１００から容易に抜けることが阻止され、成長物用バンド５００の成長物Ｔへの装着状態を維持することができ、成長物Ｔを熊等から有効に保護することが可能となる。
【００２７】
以上より、本発明の第２の実施形態に係る成長物用バンド５００は、単一の帯体ｂを折り畳むだけでバックル部１００、第１ベルト部２００、第２ベルト部３００を備える成長物用バンド５００を容易に作製することができるため、製造上の手間とコストを削減することができる。また、摩擦面である表裏面を有し、さらに弾性を有するＰＰバンドを帯体ｂとして用いることにより、成長物Ｔに巻き付ける第１ベルト部２００をバックル部１００に対して摺動可能に保持することができる。よって、本発明の第２の実施形態に係る成長物用バンド５００は、成長物Ｔの成長を阻害することなく、熊等から成長物Ｔを有効に保護することができる。
【００２８】
単一の帯体ｂでバックル部１００、第１ベルト部２００、第２ベルト部３００を備える成長物用バンド５００を作製するのは、図４に示す折り畳み方以外にもある。以下、第２の形成方法〜第４の形成方法として説明する。
【００２９】
＜第２の折り畳み手順＞
第２の折り畳み手順を図８に示すが、（ａ）〜（ｄ）までは図４で示す第１の折り畳み手順と同じである（図９（ｅ））。したがって、ここではそれ以降の説明を図９をも参照して行う。
（ｅ）端部３００ｅを図中右側に倒しながら、折り目が折り畳み部Ｆ２の対角線と略一致するように山折りする。ちなみに、第１の折り畳み手順はこのステップで端部３００ｅを左側に倒す。
（ｆ）端部３００ｅを折り畳み部Ｆ２の図中右側から第２層Ｌ２と第４層Ｌ４の間に挿入し（図９（ｆ）第８層Ｌ８の形成）、折り畳み部Ｆ２の図中左側から出た端部３００ｅを左方向に引っ張る。
（ｇ）端部３００ｅをさらに図中右側に倒し（図９（ｇ）第９層Ｌ９の形成）、（ｆ）で形成された三角形の折り畳み部Ｆ３の図中右側から第２層Ｌ２と第８層Ｌ８の間に挿入し（図９（ｇ）第１０層Ｌ１０の形成）、左方向に引っ張ると、バックル部１００が完成する。
第２の折り畳み手順によると、第１ベルト部２００をバックル部１００に挿通させる方法が、図９の矢印９Ａ（通路Ｐ１）、矢印９Ｂ（通路Ｐ２）、矢印９Ｃ（通路Ｐ３）の三通り存在する。
【００３０】
＜第３の折り畳み手順＞
第３の折り畳み手順を図１０に示すが、（ａ）〜（ｃ）までは図４で示す第１の折り畳み手順と同じである。したがって、ここではそれ以降の説明を図１１をも参照して行う。
（ｄ）端部３００ｅを反対側に向けて山折りしたら（図１１第５層Ｌ５の形成）、折り畳み部Ｆ２を表裏反転させてから第２ベルト部３００を右手に持ち替える。
（ｅ）端部３００ｅを図中右側に倒しながら、折り目が第３層Ｌ３の対角線と略一致するように谷折りする（図１１第６層Ｌ６の形成）。
（ｆ）端部３００ｅを第３層３Ｌの図中右側から第１層Ｌ１と第３層Ｌ３の間に挿入し（図１１第７層Ｌ７の形成）、第３層Ｌ３の図中左側から出た端部３００ｅを左方向に引っ張る。
（ｇ）端部３００ｅをさらに図中右側に倒し（図１１第８層Ｌ８の形成）、（ｆ）で形成された三角形の折り畳み部Ｆ３の図中右側から第１層Ｌ１と第７層Ｌ７の間に挿入し（図１１第９層Ｌ９の形成）、左方向に引っ張ると、バックル部１００が完成する。
第３の折り畳み手順によると、第１ベルト部２００をバックル部１００に挿通させる方法が、図９の矢印１１Ａ（通路Ｐ１）、矢印１１Ｂ（通路Ｐ２）の二通り存在する。
【００３１】
＜第４の折り畳み手順＞
第４の折り畳み手順を図１２に示すが、（ａ）〜（ｄ）までは図１０で示す第３の折り畳み手順と同じである。したがって、ここではそれ以降の説明を図１３をも参照して行う。
（ｅ）端部３００ｅを図中左側に倒しながら、折り目が第３層Ｌ３の対角線と略一致するように谷折りする（図１３第６層Ｌ６の形成）。
（ｆ）端部３００ｅを第３層３Ｌの図中左側から第１層Ｌ１と第３層Ｌ３の間に挿入し（図１３第７層Ｌ７の形成）、第３層Ｌ３の図中右側から出た端部３００ｅを図中右方向に引っ張る。
（ｇ）端部３００ｅをさらに図中左側に倒し（図１３第８層Ｌ８の形成）、（ｆ）で形成された三角形の折り畳み部Ｆ３の図中左側から第１層Ｌ１と第７層Ｌ７の間に挿入し（図１３第９層Ｌ９の形成）、右方向に引っ張ると、バックル部１００が完成する。
第４の折り畳み手順によると、第１ベルト部２００をバックル部１００に挿通させる方法が、図１３の矢印１３Ａ（通路Ｐ１）、矢印１３Ｂ（通路Ｐ２）の二通り存在する。
【００３２】
以上、第１〜第４の折り畳み手順を説明したが、いずれも以下の点で共通している。
（Ａ）  単一の帯体ｂを第１ベルト部２００に該当する部分に対して第２ベルト部３００に該当する部分を直交する方向に折り畳んだ後に、折り畳み部Ｆ１を包むように第２ベルト部３００に該当する部分を巻き回す。この巻き回しには最初の折り畳みを含めて少なくとも４回の折り畳みを伴う。こうすることで、通路Ｐ１又は通路Ｐ２となる隙間が形成される。この隙間を折り畳み手順ごとに示すと以下の通りである。
第１の折り畳み手順：第２層Ｌ２と第４層Ｌ４の間の隙間（図５〜図７参照）
第３層Ｌ３と第５層Ｌ５の間の隙間（図５〜図７参照）
第２の折り畳み手順：第２層Ｌ２と第４層Ｌ４の間の隙間（図９参照）
第３層Ｌ３と第５層Ｌ５の間の隙間（図９参照）
第３の折り畳み手順：第２層Ｌ２と第４層Ｌ４の間の隙間（図１１参照）
第１層Ｌ１と第３層Ｌ３の間の隙間（図１１参照）
第４の折り畳み手順：第２層Ｌ２と第４層Ｌ４の間の隙間（図１３参照）
第１層Ｌ１と第３層Ｌ３の間の隙間（図１３参照）
【００３３】
（Ｂ）  （Ａ）までのステップでは、第２ベルト部３００に相当する部分が第１ベルト部２００に相当する部分に対して直交しているので、第２ベルト部３００に相当する部分が第１ベルト部２００に相当する部分と平行になるように折り畳む。折り畳み手順ごとに該当するステップを示すと以下の通りである。
第１の折り畳み手順：図４（ｅ）〜（ｆ）
第２の折り畳み手順：図８（ｅ）〜（ｆ）
第３の折り畳み手順：図１０（ｅ）〜（ｆ）
第４の折り畳み手順：図１２（ｅ）〜（ｆ）
【００３４】
（Ｃ）  上記（Ｂ）により第２ベルト部３００に相当する部分を第１ベルト部２００に相当する部分と平行にしただけでは折り畳んだ部分がほどけてしまうため、第２ベルト部３００でそれまで折り畳んだ部分を包むとともに、通路Ｐ１又は通路Ｐ２に第２ベルト部３００を挿通することで、バックル部１００を構成する。折り畳み手順ごとに該当するステップを示すと以下の通りである。
第１の折り畳み手順：図４（ｆ）〜（ｇ）
第２の折り畳み手順：図８（ｆ）〜（ｇ）
第３の折り畳み手順：図１０（ｆ）〜（ｇ）
第４の折り畳み手順：図１２（ｆ）〜（ｇ）
【００３５】
尚、第１〜第４の折り畳み手順に共通する（ａ）の折り畳み方法を以下の手順とすることもできる（図１４を参照されたい）。
（ａ）帯体ｂの位置ＰＮ１を左手で持ち、位置ＰＮ１より図中右側の上縁部Ｅ１と位置ＰＮ１より左側の第１ベルト部２００の部分とが重なるように第２ベルト部３００の端部３００ｅを左に向けて谷折りする。折り畳まれた部分（以下、折り畳み部Ｆ１）を右親指と右人差し指で保持する。次いで、Ｅ１が第１ベルト部２００の長手方向に対して直交するように第２ベルト部３００の端部３００ｅをＰＮ２で示す破線に沿って右に向けて谷折りする。折り畳まれた部分（以下、折り畳み部Ｆ１）を左親指と左人差指で保持する。
（ｂ）以降の折り畳み手順は、第１〜第４の折り畳み手順に従って折り進めることにより、バックル部１００を形成することができる。
このように、第２ベルト部３００を位置ＰＮ１にて帯体ｂ（第１ベルト部２００）の長手方向に重なるように折ってから、第１ベルト部２００の長手方向に対して直交するように折り畳むことにより、三角形の折り畳み部Ｆ１が新たに追加され、弾性復帰により隣接する層を押し上げる力が増し、第１ベルト部２００のバックル部１００から抜けをより有効に阻止することができる。
【００３６】
また、第１〜４の折り畳み手順に共通する（ａ）において、上縁部Ｅ１が第１ベルト部２００の長手方向に対して直交するように第２ベルト部３００の端部３００ｅを下に向けて谷折りしたが、端部３００ｅを下に向けて山折りしても良い。この場合、（ｂ）〜（ｄ）の手順は以下の通りとなる。
（ｂ）端部３００ｅを折り畳み部Ｆ１の裏側の面に向けて谷折りする。
（ｃ）（ａ）〜（ｂ）で形成された三角形の折り畳み部Ｆ１に重なるようにさらに山折りする。
（ｄ）端部３００ｅを折り畳み部Ｆ１の裏側に向けて谷折りする。あるいは、端部３００ｅを折り畳み部Ｆ１の裏側に向けて谷折りし、次いで、四角形の折り畳み部Ｆ２に重なるようにさらに山折りし、さらにもう一度巻き回して谷折りする。
【００３７】
さらに、第１〜４の折り畳み手順の（ａ）〜（ｄ）の折り畳み方法を以下の手順とすることもできる（図１５を参照されたい）。
（ａ）帯体ｂの位置ＰＮ１を左手で持ち、位置ＰＮ１より図中右側の上縁部Ｅ１と位置ＰＮ１より左側の第１ベルト部２００の部分とが重なるように第２ベルト部３００の端部３００ｅを左に向けて山折りし、位置ＰＮ１にて帯体ｂの長手方向に垂直な折り目を形成する。次いで、山折りした第２ベルト部３００を開き、端部３００ｅを図中右側に戻した後、帯体ｂを裏返す。次いで、上縁部Ｅ１と対向する第２ベルト部３００の縁部が位置ＰＮ１にて形成された折り目に重なるよう、ＰＮ２で示す破線に沿って端部３００ｅを谷折りし、三角形の折り畳み部Ｆ１´を形成する。次いで、位置ＰＮ１にて形成された折り目に沿って、折り畳み部Ｆ１´を図中左側に倒し、折り畳み部Ｆ１を形成する。
（ｂ）端部３００ｅが図中上方に向くように、折り畳み部Ｆ１を右親指と右人差指で保持しながら第１ベルト部２００および第２ベルト部３００を裏返す。
（ｃ）端部３００ｅを手前に向けて谷折りする。
（ｄ）端部３００ｅを反対側に向けて山折りして四角形の折り畳み部Ｆ２を形成したのち、折り畳み部Ｆ２に重なるようにさらに谷折りする。
以降の折り畳み手順は、第１〜第４の折り畳み手順に従って折り進めることにより、バックル部１００を形成することができる。尚、図１５（ｂ）に示すように、折り畳み部Ｆ１が形成された後に第１ベルト部２００の端部２００ｅを図中手前から重ね合わせ、（ｃ）（ｄ）の手順で第２ベルト部３００を巻き付けることもできる。このように、バックル部１００の形成途中で端部２００ｅを第２ベルト部の層間に存在させておくことで、完成したバックル部１００に端部２００ｅを通過させることなく、リング状の成長物用バンド５００を形成することができる。
【００３８】
＜第３の実施形態＞
第３の実施形態に係る成長物用バンド５５０は、図１６に示す通り、２つのバックル部１５０Ｒ、１５０Ｌと、バックル部１５０Ｒ、１５０Ｌに摺動可能に保持されるベルト部２５０とからなる。第２の実施形態に係る成長物用バンド５００と同様に、成長物用バンド５５０は表裏面に凹凸を有する１本の帯体により一体的に形成され、バックル部１５０Ｒ、１５０Ｌは、ベルト部２５０を折り畳んで形成していることを特徴とする。尚、帯体には、第２の実施形態と同様に、市販のＰＰバンドを使用する。
【００３９】
バックル部１５０Ｒは、以下の手順にて形成することができる（以下のアルファベット（ａ）〜（ｈ）は、図１７の（ａ）〜（ｈ）に対応する）。
【００４０】
＜バックル部１５０Ｒ＞
（ａ）ベルト部２５０の位置ＰＮ１０ａを左手で持ち、位置ＰＮ１０ａの図中右側における上辺部Ｅ１０ａがベルト部２５０の長手方向に対して直交するように谷折りする（第１〜２層Ｌ１〜Ｌ２の形成）。折り畳み部を左親指と左人差し指で保持する。
（ｂ）ベルト部２５０の端部２５０ａを折り畳み部Ｆ１０ａの反対側の面に向けて山折りする（第３層Ｌ３の形成）。
（ｃ）第１層Ｌ１と第３層Ｌ３との間に、ベルト部２５０の中央部Ｃ近辺をリングの外側面が図中手前に向くように挟みこむ（第４層Ｌ４の形成）。
（ｄ）（ａ）〜（ｂ）で形成された三角形の折り畳み部Ｆ１０ａに重なるように端部２５０ａをさらに谷折りする（第５層Ｌ５の形成）
（ｅ）端部２５０ａを反対側に向けて山折りし、四角形の折り畳み部Ｆ２０ａに重なるようにさらに谷折りする（第６〜７層Ｌ６〜Ｌ７の形成）。
（ｆ）端部２５０ａがベルト部２５０に対して平行に向くように先端部２５０ａを図中左側に倒しながら、折り目が折り畳み部Ｆ２０ａの対角線と略一致するように山折りする（第８層Ｌ８の形成）。
（ｇ）端部２５０ａを折り畳み部Ｆ２０ａの図中左側から第２層Ｌ２と第４層Ｌ４の間に挿入し（第９層Ｌ９の形成）、折り畳み部Ｆ２０ａの図中右側から出た先端部２５０ａを右方向に引っ張る。
（ｈ）端部２５０ａをさらに図中左側に倒し（第１０層Ｌ１０の形成）、（ｇ）で形成された三角形の折り畳み部Ｆ３０ａの図中左側から第２層Ｌ２と第９層Ｌ９との間に挿入し（第１１層Ｌ１１の形成）、右方向に引っ張ると、バックル部１５０Ｒが完成する。
【００４１】
バックル部１５０Ｌは、以下の手順にて形成することができる（以下のアルファベット（ａ）〜（ｈ）は、図１８の（ａ）〜（ｈ）に対応する）。
＜バックル部１５０Ｌ＞
（ａ）バックル部１５０Ｒが図中左側に位置するようにベルト部２５０を持ち、位置ＰＮ１０ｂの図中右側における上辺部Ｅ１０ｂがベルト部２５０の長手方向に対して直交するように谷折りする（第１〜２層Ｌ１〜Ｌ２の形成）。折り畳み部を左親指と左人差し指で保持する。
（ｂ）端部２５０ｂを折り畳み部の反対側の面に向けて山折りする（第３層Ｌ３の形成）。
（ｃ）（ｂ）で形成された折り畳み部Ｆ１０ｂ（第２層Ｌ２）の上に、バックル部１５０Ｒの図中右側から伸びるベルト部２５０を重ねる（第４層Ｌ４の形成）。
（ｄ）端部２５０ｂを谷折りする（第５層Ｌ５の形成）。
（ｅ）端部２５０ｂをさらに山折りし、四角形の折り畳み部Ｆ２０ｂに重なるようにさらに谷折りする（第６〜７層Ｌ６〜Ｌ７の形成）。
（ｆ）端部２５０ｂがベルト部２５０に対して平行に向くように端部２５０ｂを図中左側に倒しながら、折り目が折り畳み部Ｆ２０ｂの対角線と略一致するように山折りする（第８層Ｌ８の形成）。
（ｇ）端部２５０ｂを折り畳み部Ｆ２０ｂの図中左側から第５層と第７層の間に挿入し（第９層Ｌ９の形成）、折り畳み部Ｆ２０ｂの図中右側から出た端部２５０ｂを右方向に引っ張る。
（ｈ）端部２５０ｂをさらに図中左側に倒し（第１０層Ｌ１０の形成）、（ｇ）で形成された三角形の折り畳み部Ｆ３０ｂの図中左側から第２層と第９層との間に挿入し（第１１層Ｌ１１の形成）、右方向に引っ張ると、バックル部１５０Ｌが完成する。
【００４２】
上述の手順にて作製された成長物用バンド５５０は、ベルト部２５０がバックル部１５０Ｒ、１５０Ｌの双方にすでに挿入された状態で折り畳まれて形成されるため（図１７（ｃ）、図１８（ｃ））、ベルト部２５０に何らかの強い力が加わったとしても、ベルト部２５０がバックル部１５０Ｒ、１５０Ｌから抜け落ちることがない。また、このような構成により、成長物用５５０バンドはあらかじめ所定の径を有するリングを形成している。よって、成長物用バンド５５０は、動物の胴体に電波発信機等とともに装着し、動物の成長観察等に用いることができる。また、成長物用バンド５５０は、第２の実施形態の成長物用バンド５００と同様に、ベルト部２５０がバックル部１５０Ｒ、１５０Ｌによって摺動可能に保持されているため、成長物用バンド５５０のリングの径を装着する動物の大きさに合わせて適宜調節することができる。さらに、動物の成長に伴ってリングの径が自動的に拡がるため、動物の成長を阻害することがない。
【００４３】
これ以外にも、本発明の主旨を逸脱しない限り、上記実施の形態で挙げた構成を取捨選択したり、他の構成に適宜変更することが可能である。
【符号の説明】
【００４４】
１、５００、５５０…成長物用バンド、
１０、１００、１５０Ｒ、１５０Ｌ…バックル部、１０ｃ…貫通孔
２０…第１ベルト部、２０ｅ…端部
３０…第２ベルト部
２００、２５０…ベルト部、２００ｅ、２５０ａ、２５０ｂ…端部
Ｆ１、Ｆ２、Ｆ３、Ｆ１０ａ、Ｆ１０ｂ、Ｆ２０ａ、Ｆ２０ｂ、Ｆ３０ａ、Ｆ３０      ｂ…折り畳み部、Ｐ１、Ｐ２…通路
【図１】
2011147352.tif 000003
【図２】
2011147352.tif 000004
【図３】
2011147352.tif 000005
【図４】
2011147352.tif 000006
【図５】
2011147352.tif 000007
【図６】
2011147352.tif 000008
【図７】
2011147352.tif 000009
【図８】
2011147352.tif 000010
【図９】
2011147352.tif 000011
【図１０】
2011147352.tif 000012
【図１１】
2011147352.tif 000013
【図１２】
2011147352.tif 000014
【図１３】
2011147352.tif 000015
【図１４】
2011147352.tif 000016
【図１５】
2011147352.tif 000017
【図１６】
2011147352.tif 000018
【図１７】
2011147352.tif 000019
【図１８】
2011147352.tif 000020